(57)【要約】【課題】ＣＭ映像をカットしたことによって番組提供スポンサーに与える不利益を抑えて、消費電力の削減が可能な、携帯端末装置および地上波デジタル放送受信システムを提供する。【解決手段】ＣＭ情報配信サーバ３０は、地上波デジタル放送を行っている放送局３０から、放送されるＣＭ映像に対応したＣＭ情報を予め格納している。携帯電話端末１０は、地上波デジタル放送の番組の受信中にＣＭ映像の放送が開始された場合、地上波デジタル放送の受信機能を停止させて、ＣＭ情報配信サーバ３０から放送されている広告映像に対応したＣＭ情報をネットワークを介して取得して表示させ、ＣＭ映像の放送が終了し番組映像の放送が再開された場合、地上波デジタル放送を受信して番組映像の表示を再開する。【選択図】図１
2007129552.tif 000002
【特許請求の範囲】
【請求項１】
地上波デジタル放送受信機能を有した携帯端末装置により地上波デジタル放送を受信するための地上波デジタル放送受信システムであって、
地上波デジタル放送を行っている放送局から放送される広告映像に対応した広告情報を予め格納している広告情報配信サーバと、
地上波デジタル放送を受信するための受信機能を有し、地上波デジタル放送の番組の受信中に広告映像の放送が開始された場合、地上波デジタル放送の受信機能を停止させて、前記広告情報配信サーバから放送されている広告映像に対応した広告情報をネットワークを介して取得して表示させ、広告映像の放送が終了し番組映像の放送が再開された場合、地上波デジタル放送を受信して番組映像の表示を再開する携帯端末と、を備えた地上波デジタル放送受信システム。
【請求項２】
地上波デジタル放送受信機能を有した携帯端末装置であって、
地上波デジタル放送を受信するための受信機能を有し、地上波デジタル放送の番組の受信中に広告映像の放送が開始された場合、地上波デジタル放送の受信機能を停止させて、地上波デジタル放送を行っている放送局から放送される広告映像に対応した広告情報を予め格納している広告情報配信サーバから放送されている広告映像に対応した広告情報をネットワークを介して取得して表示させ、広告映像の放送が終了し番組映像の放送が再開された場合、地上波デジタル放送を受信して番組映像の表示を再開する携帯端末。
【発明の詳細な説明】
【技術分野】
【０００１】
本発明は、地上波デジタル放送受信機能を有した携帯電話端末等の携帯端末装置に関し、特に、この携帯端末装置により地上波デジタル放送を受信するための地上波デジタル放送受信システムに関する。
【背景技術】
【０００２】
近年、携帯電話端末には様々な機能が搭載されるようになっており、ＴＶ放送を受信する機能を搭載したものも商品化されている。また、２０１１年には地上波デジタル放送の全国放送が開始される予定となっており、地上波デジタル放送受信機能を有した携帯電話端末の開発も予想される（例えば、特許文献１参照。）。
【０００３】
しかし、地上波デジタル放送を受信し視聴するには大きな消費電力が必要であるため、携帯電話端末等によって地上波デジタル放送を長時間視聴するためには大容量電池の開発や消費電力の削減が必須である。このような課題を解決するために、テレビ放送を受信する機能を備えた携帯電話端末において、消費電力削減の観点から、番組間に挿入される広告映像（以下、ＣＭ（コマーシャル）映像と略す。）の放送中に無線部への駆動電力の供給を停止する携帯電話端末も提案されている（例えば、特許文献２参照。）。しかし、現在放送業界の番組作成はスポンサーが広告枠を買い取る形で番組の制作費に充てているためＣＭ映像をカットすることはスポンサーの不利益となってしまう。
【特許文献１】特開２００５−２０３４５号公報
【特許文献２】特開２００５−２２３８１９号公報
【発明の開示】
【発明が解決しようとする課題】
【０００４】
上述した従来の携帯端末装置では、地上波デジタル放送の受信機能を搭載した場合、消費電力が大きくなってしまい長時間の視聴が困難であるという問題点があった。
【０００５】
本発明の目的は、広告映像をカットしたことによって番組提供スポンサーに与える不利益を抑えて、消費電力の削減が可能な、携帯端末装置および地上波デジタル放送受信システムを提供することである。
【課題を解決するための手段】
【０００６】
上記目的を達成するために、本発明の地上波デジタル放送受信システムは、地上波デジタル放送受信機能を有した携帯端末装置により地上波デジタル放送を受信するための地上波デジタル放送受信システムであって、
地上波デジタル放送を行っている放送局から放送される広告映像に対応した広告情報を予め格納している広告情報配信サーバと、
地上波デジタル放送を受信するための受信機能を有し、地上波デジタル放送の番組の受信中に広告映像の放送が開始された場合、地上波デジタル放送の受信機能を停止させて、前記広告情報配信サーバから放送されている広告映像に対応した広告情報をネットワークを介して取得して表示させ、広告映像の放送が終了し番組映像の放送が再開された場合、地上波デジタル放送を受信して番組映像の表示を再開する携帯端末とを備えている。
【０００７】
本発明によれば、広告映像の放送中は地上波デジタル放送の受信機能を停止させることにより消費電力の低減を図ることができる。また、広告映像を受信する代わりに、放送されている広告映像に対応した広告情報が広告情報配信サーバから取得されて液体端末装置の画面に表示されるため、広告映像をカットしたことによる提供スポンサーの不利益を最小限に抑制することができる。
【発明の効果】
【０００８】
以上説明したように、本発明によれば、地上波デジタル放送の受信機能を有する携帯端末装置において、広告映像をカットしたことによって番組提供スポンサーに与える不利益を最小限に抑えて、消費電力の削減を図ることが可能となるという効果を得ることができる。
【発明を実施するための最良の形態】
【０００９】
次に、本発明の実施の形態について図面を参照して詳細に説明する。
【００１０】
図１は本発明の一実施形態の地上波デジタル放送受信システムの構成を示す図である。本実施形態の地上波デジタル放送受信システムは、図１に示されるように、携帯電話端末１０と、放送局２０と、ＣＭ（広告）情報配信サーバ３０とから構成されている。
【００１１】
ＣＭ情報配信サーバ３０は、地上波デジタル放送を行っている放送局３０から、放送されるＣＭ映像に対応したＣＭ情報を予め格納している。ＣＭ情報としては、動画であるＣＭ映像に対応した静止画像や、商品名やその商品の説明文等の文字情報等が用いられる。
【００１２】
携帯電話端末１０は、地上波デジタル放送を受信するための受信機能を有し、インターネット等のネットワークを介してＣＭ情報配信サーバ３０より情報を取得することが可能である。そして、携帯電話端末１０は、地上波デジタル放送の番組の受信中にＣＭ映像の放送が開始された場合、地上波デジタル放送の受信機能を停止させて、ＣＭ情報配信サーバ３０から放送されている広告映像に対応したＣＭ情報をネットワークを介して取得して表示させ、ＣＭ映像の放送が終了し番組映像の放送が再開された場合、地上波デジタル放送を受信して番組映像の表示を再開する。
【００１３】
また、本実施形態における携帯電話端末１０では、ＣＭカット機能をユーザが自由にオン、オフできるものとする。
【００１４】
尚、本実施形態では、地上波デジタル放送受信機能を備えた携帯端末装置が携帯電話端末１０の場合を用いて説明しているが、本発明は、このような場合に限定されるものではなく、ＰＤＡ（Personal Digital Assistants）やノートパソコン等の他の携帯端末装置の場合でも同様に適用することができるものである。
【００１５】
放送局２０は、地上波デジタル放送の放送局でデジタル放送による番組データ４０や、番組関連情報データ５０の放送を行っている。番組データ４０は、放送している番組の画像および音声データであり、番組関連情報データ５０は、番組データ４０の出演者名、提供スポンサーの広告、番組内で使用した曲名など番組に関連する情報及び、さらに詳細な情報を記載したインターネットサイトのＵＲＬ等の情報である。
【００１６】
次に、図面を参照して本実施形態の地上波デジタル放送受信システムの動作について詳細に説明する。
【００１７】
図２は、本実施形態の地上波デジタル放送受信システムの動作を示すフローチャートである。
【００１８】
携帯電話端末１０では、放送局３０から放送された番組データ４０を受信して、受信した映像を画面に表示する（ステップ１０１、１０２）。
【００１９】
そして、放送内容が通常の番組からＣＭに移る際、放送局３０からはＣＭを放送する時間（番組が再開されるまでの時間）、放送するＣＭの内容等がデータとして携帯電話端末１０に送信される（ステップ１０３）。
【００２０】
携帯電話端末１０は、放送局３０からＣＭ映像の放送が開始されると、地上波デジタル放送の受信機能を停止する（ステップ１０４）。
【００２１】
そして、携帯電話端末１０は、地上波デジタル放送の受信停止後、インターネット等のネットワーク経由でＣＭ情報配信サーバ３０にアクセスして、放映されているＣＭ映像に対応したＣＭの情報取得要求を行う（ステップ１０５）。
【００２２】
ＣＭ情報配信サーバ３０は、要求されたＣＭ情報を携帯電話端末１０に対して配信する（ステップ１０６）。情報の配信方法は電子メール、インターネットブラウザでの閲覧、アプリケーションソフトウェアによるテロップ表示などいずれの方法で構わない。
【００２３】
ステップ１０３において取得したＣＭ放送時間が経過し、番組の放送が再開されると（ステップ１０７）、携帯電話端末１０は地上波デジタル放送の受信を再開し、受信した映像が画面に表示される（ステップ１０８）。
【００２４】
このように、本実施形態の地上波デジタル放送受信システムによれば、ＣＭ映像の放送中は地上波デジタル放送の受信機能を停止させることにより消費電力の低減を図ることができる。また、ＣＭ映像を受信する代わりに、放送されているＣＭ映像に対応したＣＭ情報がＣＭ情報配信サーバ３０から取得されて携帯電話端末１０の画面に表示されるため、ＣＭカットによる提供スポンサーの不利益を最小限に抑制することが可能である。
【図面の簡単な説明】
【００２５】
【図１】本発明の一実施形態の地上波デジタル放送受信システムの構成を示す図である。
【図２】図１の地上波デジタル放送受信システムの動作を示すフローチャートである。
【符号の説明】
【００２６】
１０    携帯電話端末
２０    放送局
３０    ＣＭ情報配信サーバ
４０    番組データ
５０    番組関連情報データ
１０１〜１０８    ステップ
【図１】
2007129552.tif 000003
【図２】
2007129552.tif 000004